(57)【要約】      （修正有）【課題】スペクトラム拡散（SSCG）したクロックに同期した記録ヘッドの駆動パルスによりインク吐出をおこなうインクジェット記録方法であっても、良好な画像を提供する。【解決手段】  周波数拡散された拡散クロック信号に同期した駆動パルス信号によりインクを吐出する記録ヘッド駆動パルス信号のパルス幅調整分解能（時間幅）をスペクトラム拡散クロック手段の変調周期の整数倍と一致させるようにした。  さらにプレヒートパルスとメインヒートパルス各々をスペクトラム拡散クロック手段の変調周期の整数倍とし、且つ変調周期未満のパルス幅補正も可能とする。【選択図】図４
2007008072.tif 000002
【特許請求の範囲】
【請求項１】
スペクトラム拡散方式により変調されたクロックを供給するクロック供給手段と、前記クロックに同期して動作する同期制御手段と、
複数の記録素子をもつ記録ヘッドと、前記記録素子への駆動パルスの幅を設定する駆動パルス幅設定手段と、を具える記録装置において、
前記駆動パルス幅はスペクトラム拡散周期に関連する時間に設定されることを特徴とする記録装置。
【請求項２】
前記駆動パルス幅は前記スペクトラム拡散周期の整数倍に設定されることを特徴とする請求項１記載の記録装置。
【請求項３】
スペクトラム拡散方式により変調されたクロックを供給するクロック供給手段と、前記クロックに同期して動作する同期制御手段と、
複数の記録素子をもつ記録ヘッドと、前記記録素子への第１の駆動パルスの幅を設定する第１駆動パルス幅設定手段と、
前記記録素子への第２の駆動パルスの幅を設定する第２駆動パルス幅設定手段と、を具える記録装置において、
前記第１の駆動パルス幅と前記第２の駆動パルス幅はスペクトラム拡散周期の整数倍に設定されることを特徴とする記録装置。
【請求項４】
前記第１の駆動パルスのパルス幅を補正する第１補正手段と、前記第２の駆動パルスのパルス幅を補正する第２補正手段をさらに具えることを特徴とする請求項３記載の記録装置。
【請求項５】
前記第１補正手段で補正するパルス幅は前記スペクトラム拡散周期より小さいことを特徴とする請求項４記載の記録装置。
【請求項６】
前記第２補正手段で補正するパルス幅は前記スペクトラム拡散周期より小さいことを特徴とする請求項４記載の記録装置。
【発明の詳細な説明】
【技術分野】
【０００１】
本発明は記録ヘッドを用いて記録媒体に画像を記録する記録装置に関するものである。
【背景技術】
【０００２】
プリンタ、複写機、ファクシミリ等に用いられる記録装置は、画像情報に基づいて、紙やプラスチック薄板等の記録媒体上にドットパターンからなる画像を記録する。このような記録装置は、その記録方式により、インクジェット方式、ワイヤドット方式、サーマル方式、電子写真方式等に分けることができる。そのうちインクジェット方式は、記録ヘッドの吐出口からインク液滴を吐出飛翔させ、これを記録媒体に付着させて画像を記録する。
【０００３】
このようなインクジェット式の記録ヘッドでは、ノズルからインクを吐出させるためにエネルギが必要となる。このエネルギ量は、記録されるデータの濃度が濃いとき、即ち、単位面積当り多量のインク吐出が必要な場合と、そうでなく濃度が薄い場合とでは異なる。
【０００４】
このようなエネルギ供給例として、記録ヘッドのノズル内に設けられた発熱素子（ヒータ）に通電して発熱させ、ノズル内のインクの瞬間的な膜沸騰による発泡エネルギによりインク吐出を行うものがある。
【０００５】
記録ヘッドへのエネルギの供給、即ちノズル内のヒータへの電力供給は、記録装置本体と記録ヘッドとを接続するケーブルを介して行われる。このようなケーブルにはいくらかの配線抵抗が存在するため、このケーブルを介して供給される電気エネルギにはこの抵抗分によるロスが生じる。このロス分はエネルギの供給量（電流）に比例して増加し、記録ヘッドの駆動条件に影響を与える結果となる。尚、ケーブルの配線抵抗以外にも、直流電源を供給する電源回路、その他の回路素子においても、エネルギの供給量によって動作条件が変化する。
【０００６】
通常の記録動作においては、前述のように記録データの濃度によって、記録ヘッドに供給されるエネルギ量が変化するため、それに伴い駆動条件が変化する結果となる。
【０００７】
駆動条件の変化は、良好な記録結果を得るための障害となる。従来は、このような障害を軽減化するために、必要なエネルギ量を求めて、投入するエネルギ量を最適値に補正するという方法が採用されている。この最適エネルギ量を求める方法としては、実際に電圧変動などの物理量を測定して求めることも考えられるが、手軽な実現方法として、これから記録をおこなうデータから、同時にインク吐出が行われるノズル数をカウントし、そのカウント値から最適エネルギ量を予測算出することが行われている。
【０００８】
また投入エネルギ量の補正方法として駆動電圧を可変する方法がある。
（例えば特許文献１）
又、エネルギ補正の別な方法としてヒート時間を補正する提案も為されている。
（例えば特許文献２）
上記特許文献１の方法によって駆動電圧自身を変更する場合、構成が大がかりになりやすい。
【０００９】
その点、特許文献２によれば、ヒート（駆動）時間を変更してエネルギ補正するのでハードウェアの変更は比較的軽微である。
【００１０】
近年、インクジェット記録装置は、高速化及び高精彩化が求められている。その背景として、高分解能化に加えてカラー画像の取り扱いにより画像データ量が増大していること等があげられる。
【００１１】
インクジェット記録装置は、ホストコンピュータからの画像データを元にインクジェット記録ヘッドの駆動をクロック信号に同期して行なう。
【００１２】
このクロック信号を高速化することにより画像形成能力を向上させているが、そのクロック信号の高調波に起因する放射電磁界干渉（ＥＭＩ：Electro-Magnetic Interference）も悪化する傾向がある。
【００１３】
EMIノイズにおける代表的な規制は、VCCI（日本  自主規制）、FCC（米国）等があげられる。
【００１４】
これらのEMIノイズ規定値以内に放射ノイズレベルを抑えるために、プリント基板の多層化、接続束線にフェライトコアを入れたりと多様な対策がとられてきた。
【００１５】
しかし、フェライトコアや基板の多層化においては、コストが高くなってしまうことや,物理的なサイズが大きくなってしまうことなどが課題となっていた。
そこで、上記問題を解決する為に、他の方法として、スペクトラム拡散によるクロック発生回路を使用する方法が提案されている。
（例えば特許文献３）
以上のことから、良好で高精彩化の画像記録結果を得て、
かつ、放射電磁界干渉を効果的に抑制する為に、スペクトラム拡散によるクロック発生回路のクロックを使用し、ヘッド駆動ヒート時間を変更してエネルギ供給量を調整することが行われている。
【００１６】
【特許文献１】特開平5-116342
【００１７】
【特許文献２】特開2002-240254
【特許文献３】特開平9-98152
【発明の開示】
【発明が解決しようとする課題】
【００１８】
しかしながら、スペクトラム拡散によるクロック発生回路のクロックを使用した場合、厳密にヒートパルス幅を制御できないといった問題があった。
【００１９】
クロック周波数拡散手段における周波数変動のためである。
【００２０】
図２にクロック信号周波数拡散とヘッド駆動ヒート時間の様子を示す。
【００２１】
クロック信号は、図３に示すように周波数拡散周期ｔ0にてスペクトラム拡散されている。
【００２２】
ヘッドの駆動パルス幅は、スペクトラム拡散されたクロック信号に同期して生成される。このため図２のA部分に示すように駆動パルス幅はT1〜T2の間で振れてしまい一定のパルス幅を得る事ができない。
【００２３】
つまり、駆動パルス幅の制御がスペクトラム拡散の影響をうけてしまい、その結果としてインク吐出量が一定にならず良好な画像が得られないといった課題がある。
【００２４】
インクの吐出量がスペクトラム拡散周期に同期して変動するので、画像上に“モアレ”等の現象が現れることもある。
【課題を解決するための手段】
【００２５】
以上の点に鑑み、本発明は為されたものである。
【００２６】
即ち、本発明による記録装置は、
スペクトラム拡散方式により変調されたクロックを供給するクロック供給手段と、前記クロックに同期して動作する同期制御手段と、
複数の記録素子をもつ記録ヘッドと、前記記録素子への駆動パルスの幅を設定する駆動パルス幅設定手段とを具え、
前記駆動パルス幅はスペクトラム拡散周期に関連する時間に設定されることを特徴とする。
【００２７】
又、本発明による記録装置は、
スペクトラム拡散方式により変調されたクロックを供給するクロック供給手段と、前記クロックに同期して動作する同期制御手段と、
複数の記録素子をもつ記録ヘッドと、前記記録素子への第１の駆動パルスの幅を設定する第１駆動パルス幅設定手段と、
前記記録素子への第２の駆動パルスの幅を設定する第２駆動パルス幅設定手段とを具え、前記第１の駆動パルス幅と前記第２の駆動パルス幅はスペクトラム拡散周期に関連する時間に設定されることを特徴とする。
【発明の効果】
【００２８】
以下、図３と図４を参照し、説明する。
図３において、スペクトラム拡散周期t0は常に一定であり、１周期分の積算クロック数をc0とすると、同様にc0も常に一定である。
図４にt0、c0とスペクトラム拡散の位相との相関関係を示す。
【００２９】
積算カウントは周波数拡散のどの位相からカウント開始しても積算クロック数がc0の時点で常にスペクトラム拡散周期t0となりスペクトラム拡散手段の影響を受けない一定時間幅（時間分解能）を得ることが出来る。
【００３０】
つまり、ヘッドの駆動パルス幅をカウントｃ０の整数倍に設定、或いは補正制御することにより、スペクトラム拡散手段の影響を受けずに所望の値が得られるので、結果良好な画像が得られる。
【発明を実施するための最良の形態】
【００３１】
本発明を実施する最良の形態について、以下に図を用いて詳細に説明する。
【実施例】
【００３２】
図５は、本発明の代表的な実施形態であるカラーインクジェット記録装置（以下、記録装置という）の構成を示す概略斜視図である。
図５において、記録装置１００のキャリッジ１０６上にはインクタンク２０２と結合された記録ヘッド２０１が搭載されている。
【００３３】
４色のインク（ブラック、シアン、マゼンタ、イエロ）がそれぞれ入れられた４つのインクタンク２０２を有し、記録ヘッド２０１は夫々のインクタンクからインクの供給をうけ、４色のインクを吐出してカラー記録を行う（近年、４色だけでなくさらに多数の色及びタンクで構成されているものもある）。１０３は紙送りローラで、紙送りモータ４０５で駆動され、不図示の補助ローラとともに記録紙１０７を抑えながら図中の矢印方向に用紙を搬送する。
【００３４】
用紙１０７の正確な位置を検出するため、紙送りモータ４０５の回転軸にエンコーダディスク１１５を結合し、用紙の搬送位置管理することが望ましい。
【００３５】
４０６はキャリッジモータで、キャリッジベルト１０５を介してキャリッジ１０６を図の矢印（左右）方向に往復させる。キャリッジ１０６の移動速度、及び現在位置を検知するためのリニアスケール１１０を備えるのが高画質化のためにはより好ましい。
【００３６】
キャリッジ１０６は、記録装置が記録を行っていないとき、あるいは記録ヘッド２０１の回復動作を行うときには記録ヘッド２０１を図の左側のキャップ機構１１４へ移動させる。１１９は記録ヘッド２０１の記録面に付着、成長したインク滴等を払拭するワイパブレードである。
【００３７】
記録装置１００が記録開始命令をホスト（記載無）から受信すると、それまでキャップ機構１１４にて密閉キャップされていた記録ヘッド２０１は、キャリッジモータ４０６によって図右方向に移動しながら記録ヘッド２０１に設けられた記録素子を駆動して用紙１０７上に記録ヘッドの記録幅に対応した領域の記録を行う。
【００３８】
キャリッジ１０６の走査方向に沿って、用紙端部まで記録が終了すると、キャリッジ１０６は一旦左方向に戻り、再び右方向への記録を行う。前回の記録走査が終了してから、続く記録走査が始まる前に紙送りモータ４０５によって用紙１０７を図の矢印前方向に搬送する。
【００３９】
このように記録のためのキャリッジ往復走査と紙送りとを繰り返すことにより、用紙１０７上への記録が完成する。記録ヘッド２０１からインクを吐出する記録動作は、制御回路からの制御に基づいて行われる。
【００４０】
また、記録速度を高めるため、キャリッジ１０６が図の右方向へ移動中にのみ記録を行うのではなく、キャリッジ１０６を図の左側へ戻す際の復路においても記録を行う構成であってもよい。
【００４１】
また、記録装置１００はキャリッジの往復動作を伴なわないラインヘッドを使用したものであっても良い。
＜記録ヘッドの説明＞
図６は、図５に示した記録ヘッド２０１の要部斜視図である。
記録ヘッド２０１には、所定のピッチで複数の吐出口３００が形成されており、共通液室３０１と各吐出口３００とを連結する各液路３０２の壁面に沿ってインク吐出用のエネルギを発生するための加熱素子３０３が配設されている。加熱素子３０３とその駆動回路はシリコン基板３０８上に半導体製造技術を利用して作られている。
【００４２】
これらの電気配線が作られたシリコン基板３０８を放熱用のアルミベースプレート３０７に接着している。また、シリコン基板３０８上の回路接続部３１１とプリント基板３０９とは超極細ワイヤ３１０により接続され記録装置本体からの信号は信号回路３１２を通して受け取られる。
【００４３】
液路３０２および共通液室３０１は射出成形により作られたプラスチックカバー３０６で形成されている。共通液室３０１は、前述したインクタンク（図５参照）とジョイントパイプ３０４とインクフィルタ３０５を介して連結しており、共通液室３０１にはインクタンクからインクが供給される構成となっている。インクタンクから共通液室３０１に供給されて一時的に貯えられたインクは、毛管現象により液路３０２に侵入し、吐出口３００でメニスカスを形成して液路３０２を満たした状態を保つ。
【００４４】
このとき、電極（記載無）を介して加熱素子３０３に通電され、加熱素子３０３上のインクが急激に加熱されて液路３０２内に気泡が発生し、この気泡の膨張により吐出口３００からインク滴３１３が吐出される。
＜制御部の説明＞
図７は、記録装置の各部を制御するための制御回路の構成を示すブロック図である。
【００４５】
制御回路を示す同図において、４００はホストから記録信号を入力するインタフェ−ス、４０１はＭＰＵ、４０２はＭＰＵ４０１が実行する制御プログラムを格納するＲＯＭ、４０３は各種データ（上記記録信号や記録ヘッド２０１に供給される記録データ等）を保存しておくＤＲＡＭである。
【００４６】
ＭＰＵ４０１内部に具える不図示のＥＥＰＲＯＭには累積的な記録ドット数や記録ヘッドの交換回数等も記憶できる。４０４は記録ヘッド２０１に対する記録データの供給制御を行うゲートアレイであり、インタフェース４００、ＭＰＵ４０１、ＤＲＡＭ４０３間のデータの転送制御も行う。
【００４７】
４０６は記録ヘッド２０１を搭載したキャリッジ１０６を左右に移動するためのキャリッジモータ、４０５は用紙１０７を搬送するための紙送りモータである。４０７、４０８は夫々キャリッジモータ４０６、紙送りモータ４０５を駆動するモータドライバである。４０９は記録ヘッド２０１を駆動するヘッドドライバである。
【００４８】
また、記録ヘッド２０１には記録ヘッド自身の特性情報を格納したＥＥＰＲＯＭ２０５と記録ヘッドの内部温度を測定する温度センサ２０６とが備えられており、記録ヘッド２０１がキャリッジ１０６に搭載されたとき、ＥＥＰＲＯＭ２０５に格納された情報や温度センサ２０６からの出力がＭＰＵ４０１に対して転送可能である。
【００４９】
また、４００Aは、水晶発振子（X'tal）であるが発振器であっても良い。発振子からのクロックを400BのSSCG（Spread Spectrum Clock Generator）にスペクトラム拡散されたクロック４００Cが記録制御部４００D内の各素子に供給される。
【００５０】
したがって、記録制御部はスペクトラム拡散されたクロック４００Cに同期して動作をする。
【００５１】
通常、水晶発振子４００A、SSCG４００Bは、記録制御部４００D内に構成さるが、今回説明するにあたり記録制御部４００Dの外側に配置している。
しかし，実施例の構成を限定するものでは無い。
【００５２】
以下、記録ヘッドの駆動制御について説明する。
＜概要＞
記録ヘッドに電力を供給する電源配線等における電圧降下を判定し、電圧降下量に見合った適切な駆動パルス幅で記録ヘッドを駆動する。
駆動パルス幅は、スペクトラム拡散されたクロック４００Cのスペクトラム拡散周期の整数倍で制御又は補正される。
＜記録ヘッド制御の概要＞
インクを吐出させるため、記録データとヒートパルスとの論理積の演算結果がノズルの加熱素子３０３に供給される。
【００５３】
記録データは、記録の有無を決定し、ヒートパルスは吐出エネルギの制御に関与する。また、吐出可能ノズルを全数同時に駆動することは、電力、発生熱量、また、インク供給面からみて過大となるため、通常は加熱素子３０３をいくつかのグループに分割し、時分割駆動する。
【００５４】
図８はこの実施形態に従う記録ヘッドの駆動回路を示す図であり、図９は図８に示す記録ヘッドの駆動タイミングを示すタイミングチャートである。
図８に示すように、この記録ヘッドは、８ビットのシフトレジスタ８０２と３つのブロック分割信号（ＢＥ０、ＢＥ１、ＢＥ２）がデコーダ８００に入力されることにより８ノズルずつに８分割された６４個のノズルを有している。加熱素子３０３はトランジスタにより駆動され、加熱されるとインクに膜沸騰が生じ、インクを吐出させることができる。
【００５５】
図９に示すように、記録データ（Ｓｉ）は記録データ取り込みのためのクロック信号（ＨＣＬＫ）と共に、記録制御部からシフトレジスタ８０２にシリアル転送され、ラッチ信号（ＢＧ）でラッチ８０１にラッチされる。ブロック分割信号（ＢＥ０、ＢＥ１、ＢＥ２）はデコーダ８００で８つの信号にデコードされ、８分割された加熱素子群のそれぞれのイネーブル信号（ブロック指定信号）となる。
【００５６】
そして、記録データと選択されたブロック指定信号とヒートパルス信号（ＨＥ）の論理積の出力結果に従って吐出する、しないが決定される。
【００５７】
つぎに、記録時の駆動電圧の電圧降下について図１０を用いて説明する。
【００５８】
記録ヘッド２０１のインク吐出ノズル毎に具えた加熱素子３０３の駆動電流は記録装置本体の電源２０４から記録ヘッド２０１に対して供給されるが、ヘッド駆動時に配線抵抗等により電圧降下が生じることが知られている。
【００５９】
この電圧降下を抑制する為、電解コンデンサ２０３がヘッド近傍に装着されることが一般的である。しかし、電解コンデンサ２０３のみでは、電圧を一定に保つことが困難である。同時駆動ノズル数が増すに従って、電流が集中する記録ヘッド２０１内部の配線パターン２０２ａや２０２ｂによる電圧降下が比較的大きくなるためである。
【００６０】
電圧降下が大きくなると、加熱素子３０３に対して同時駆動ノズル数が小さい時と同等なエネルギを供給するためにはこの電圧降下分をパルス幅にて補正する方法がある。
【００６１】
以下、各ノズルに具えた加熱素子３０３への駆動パルスの波形を図１に示す。
【００６２】
本実施例では、プレヒートパルスとメインヒートパルスからなるダブルパルス構成とする。なお、記録ヘッドのノズル構造やインクの物性によっては、メインパルスのみからなるシングルパルス構成であっても良い。
【００６３】
図１において、時間間隔ＰＴ００は、ラッチを正常に行うためのブロックトリガ信号（Trig）から約０．１μｓ程度のパルスマージンである。ｔ＝ＰＴ００〜ＰＴ０１（PTW）の区間はプレヒートパルスが加熱素子３０３に印加される。続いて、ｔ＝ＰＴ０１〜ＰＴ０２までが休止時間（パルスインターバル）である。
【００６４】
その後、時間間隔ＰＴＭ００のメインヒートパルスが印加されることでインクの吐出が行われる。ただし、加熱素子３０３の抵抗、トランジスタのＯＮ抵抗等の条件に応じて、メインヒートパルスのパルス幅は補正され、最適化することが望ましい。
【００６５】
さらに、ＰＴＫ００は、例えば同時駆動ノズル数の増加に伴う、電圧降下を補償するためのパルス幅補正分である。
【００６６】
電圧降下は、AD変換器によりリアルタイムに検出しても良いし、
同時吐出ノズル数から予め推測した値を表形式で持ってもよい。
また、パルス幅補正分PTK00は、電圧降下に関する補償に限定するものでなく、記録ヘッドの温度に応じたパルス幅補正もする。
【００６７】
また、プレヒートのパルス幅（PTW）及びメインヒートパルス幅（PTM00）とそのパルス幅補正分(PTK00)は、スペクトラム拡散周期t0の整数倍にて設定される。
PTW  ＝ｎ×t0
PTM00＝m×t0
PTK00 ＝ｈ×t0
（n,m,h共に整数）
これにより、メインヒート及びプレヒートともにスペクトラム拡散クロックを使用しながらも正確にそのパルス幅の設定、或いは補正を実現できる。
【００６８】
以下、記録制御部４００D内での駆動パルスの生成について説明する。
駆動パルスの生成は、図７中のゲートアレイ４０４により生成される。ゲートアレイ４０４中にカウンタが設けられそのカウンタの閾値によりプレヒート及びメインヒートパルスが出力される。カウンタとヒートパルス幅の関係は図１に示すとおりである。それぞれの閾値ｃ００〜ｃ６は、MPU４０１によりROM４０２内のプログラムにより設定される。
【００６９】
それぞれ、
プレヒートパルス幅PTW： ｃ２−ｃ１
メインヒートパルス幅PTM00：            ｃ４−ｃ３
パルス幅補正分PTK00： ｃ５−ｃ４
の間で駆動信号が出力される。
【００７０】
タイマがカウント値ｃ６に達すると値がクリアされカウント値ｃ００にて次回の駆動開始まで待機をしている。
それぞれのパルス幅は、本発明の特徴であるスペクトラム拡散周期t0の整数倍にて設定される。
【００７１】
それぞれのカウント値は、スペクトラム拡散周期ｔ０に対応するｃ０の整数倍に設定される。
ｃ１＝ａ×ｃ０
ｃ２＝ｂ×ｎ０
ｃ３＝ｃ×ｎ０
ｃ４＝ｄ×ｎ０
ｃ５＝ｅ×ｎ０
（ａ〜ｅは、整数である。）
パルス幅を決定するそれぞれのカウント値ｃ１〜ｃ５がスペクトラム拡散周期ｔ０（カウント値ｃ０）の整数倍に設定されることで、
それぞれのプレヒートパルス幅PTW、メインヒートパルス幅PTM00、パルス幅補正分PTK00は、
スペクトラム拡散（ＳＳＣＧ）手段の影響を受けずに、正確なパルス幅を生成できるようになる。
＜第２の実施例＞
スペクトラム拡散（ＳＳＣＧ）手段を用いた加熱素子３０３の駆動パルス幅制御に関する第２の実施例を図１１に示す。
【００７２】
第１の実施例を図１により説明したが、本図１１では図１と異なる部分を説明し、同じ部分の説明は省略する。
【００７３】
本実施例では、プレヒートパルスとメインヒートパルスのパルス幅の補正分を任意に設定できる。
【００７４】
図１１において、時間間隔ＰＴ００は、（図１と同じく）ラッチを正常に行うためのブロックトリガ信号（Trig）から約０．１μｓ程度のパルスマージンである。ＰＴＷ min.（１１０１）はプレヒートパルスの最小幅であり始点、終点共にスペクトラム拡散周期ｔ0の整数倍地点でそのパルス幅はゲートアレイ４０４内部カウンタのカウント値換算で、
プレヒートパルス最小幅PTW min.：ｃ２−ｃ１
となり、この値は振れることは無い。
【００７５】
次にプレヒートパルスのパルス幅の補正分１１０３は４段階の選択的な延長が可能である。これらの延長分はスペクトラム拡散周期ｔ0より小さく、段階も任意に設定可能であるが、ＳＳＣＧ（４００Ｂ）でスペクトラム拡散されたクロック４００Cの倍数であるので、延長分に関しては±１％程度の誤差は発生するが基本幅PTW min.が一定であり、実用上何ら問題ないと考えられるが、この誤差も避けようとする場合はＳＳＣＧ（４００Ｂ）でスペクトラム拡散される以前のクロックの分周出力を用いれば良いが、放射電磁界干渉（ＥＭＩ：Electro-Magnetic Interference）を改善するという本来の目標からすると、多少不利となる傾向となるであろう。
【００７６】
次にＰＴＭ min.（１１０２）はメインヒートパルスの最小幅であり始点、終点共にスペクトラム拡散周期ｔ0の整数倍地点でそのパルス幅はゲートアレイ４０４内部カウンタのカウント値換算で、
プレヒートパルス最小幅PTW min.：ｃ４−ｃ３
となり、この値は振れることは無い。
【００７７】
次にメインヒートパルスのパルス幅の補正分１１０４は８段階の選択的な延長が可能である。これらの延長分はスペクトラム拡散周期ｔ0より小さく、段階も任意に設定可能であるが、ＳＳＣＧ（４００Ｂ）でスペクトラム拡散されたクロック４００Cの倍数であるので、プレヒートパルスの場合と同様、延長分に関しては±１％程度の誤差は発生するが基本幅PTＭ min.が一定であり、実用上何ら問題ないと考えられるが、この誤差も避けようとする場合はＳＳＣＧ（４００Ｂ）でスペクトラム拡散される以前のクロックの分周出力を用いれば良いが、放射電磁界干渉（ＥＭＩ：Electro-Magnetic Interference）を改善するという本来の目標からすると、やはり多少不利と言わざるを得ない。
【産業上の利用可能性】
【００７８】
本発明は、吐出口からインクを吐出する記録ヘッドを用いて記録媒体に画像を記録するインクジェット記録装置へ利用可能である。
【図面の簡単な説明】
【００７９】
【図１】本発明によるヘッドの駆動パルス波形を示す図である。
【図２】駆動パルスとクロック周波数拡散の関係を示す図である。
【図３】周波数拡散されたクロックのプロファイルと周波数変動を示す図である。
【図４】周波数拡散されたクロックのプロファイルと周波数拡散周期及びそのときのカウント値ｃ０の関係を示した図である。
【図５】記録装置の構成を示す概略斜視図である。
【図６】記録ヘッドの要部斜視図である。
【図７】制御回路の構成を示すブロック図である。
【図８】記録ヘッドの駆動回路を示す図である。
【図９】記録ヘッドの駆動タイミングを示すタイミングチャートである。
【図１０】記録ヘッドへの電源供給経路を示す図である。
【図１１】第２の実施例による駆動パルス波形を示す図である。
【符号の説明】
【００８０】
１００    記録装置
１０６    キャリッジ
１０７    記録紙
２０１    記録ヘッド
３００    吐出口
３０１    共通液室
３０２    液路
３０３    加熱素子
４００    インタフェ−ス
４０１    ＭＰＵ
４０２    ＲＯＭ
４０４    ゲートアレイ
４０５    紙送りモータ
４０６    キャリッジモータ
４００Ａ  水晶発振子
４００Ｂ  スペクトラム拡散手段（ＳＳＣＧ）
４００Ｃ  拡散クロック
４００Ｄ  記録制御部
８００    デコーダ
８０１    ラッチ
８０２    シフトレジスタ
【図１】
2007008072.tif 000003
【図２】
2007008072.tif 000004
【図３】
2007008072.tif 000005
【図４】
2007008072.tif 000006
【図５】
2007008072.tif 000007
【図６】
2007008072.tif 000008
【図７】
2007008072.tif 000009
【図８】
2007008072.tif 000010
【図９】
2007008072.tif 000011
【図１０】
2007008072.tif 000012
【図１１】
2007008072.tif 000013